(57)【特許請求の範囲】
【請求項１】
音声信号を送信する送信側装置として、
入力した音声信号を標準パケットに組み立てる標準パケット組立手段と、
入力した音声信号をショートパケットに組み立てるショートパケット組立手段と、
このショートパケット組立手段で組み立てられた複数のショートパケットを標準のパケットに組み立てるレイヤードパケット組立手段と、
所定の条件に従って前記標準パケット組立手段およびショートパケット組立手段のいずれかを選択するパケット選択手段と、
このパケット選択手段からの制御に従って入力した音声信号を前記標準パケット組立手段およびショートパケット組立手段のいずれかに選択出力するセレクタと、
前記標準パケット組立手段およびレイヤードパケット組立手段のパケットを回線に出力するパケット送出手段と、
を備えたことを特徴とする音声ゲートウェイシステム。
【請求項２】
入力した音声信号に対して音声符号化処理を行う音声符号化処理手段をさらに備えたことを特徴とする請求項１に記載の音声ゲートウェイシステム。
【請求項３】
前記パケット選択手段として、同一対向機への伝送チャネル数を監視する接続チャネル数監視手段を含むことを特徴とする請求項１または２に記載の音声ゲートウェイシステム。
【請求項４】
前記パケット選択手段として、同一対向機への伝送チャネル数を監視する接続チャネル数監視手段と、対向装置でのレイヤードパケット方式サポート状況を管理する対向装置情報管理手段と、を含むことを特徴とする請求項１または２に記載の音声ゲートウェイシステム。
【請求項５】
前記対向装置情報管理手段として、予め装置に設定しておく装置設定情報を用いることを特徴とする請求項４に記載の音声ゲートウェイシステム。
【請求項６】
前記対向装置情報管理手段として、対向装置からの受信パケット内情報を用いることを特徴とする請求項４に記載の音声ゲートウェイシステム。
【請求項７】
前記パケット選択手段として、装置内輻輳状況を監視する装置内輻輳状況監視手段を含むことを特徴とする請求項３または４に記載の音声ゲートウェイシステム。
【請求項８】
前記パケット選択手段として、ネットワーク回線品質を監視するネットワーク品質状態監視手段を含むことを特徴とする請求項３または４に記載の音声ゲートウェイシステム。
【請求項９】
音声信号を受信する受信側装置として、
入力した標準パケットを分解する標準パケット分解手段と、
入力したレイヤードパケットをショートパケットに分解するレイヤードパケット分解手段と、
このレイヤードパケット分解手段で分解されたショートパケットを分解するショートパケット分解手段と、
所定の条件に従って前記標準パケット分解手段およびレイヤードパケット分解手段のいずれかを選択する受信パケット選択手段と、
この受信パケット選択手段の制御に従って入力した音声信号を前記標準パケット分解手段およびレイヤードパケット分解手段のいずれかに選択出力するセレクタと、
パケットを回線から入力して前記セレクタに送るパケット受信手段と、
を備えたことを特徴とする音声ゲートウェイシステム。
【請求項１０】
受信した音声符号化信号に対して復号処理を行う音声復号手段をさらに備えたことを特徴とする請求項９に記載の音声ゲートウェイシステム。
【請求項１１】
前記受信パケット選択手段として、受信したパケットのサイズにより選択制御するための受信パケットサイズ監視手段を含むことを特徴とする請求項９または１０に記載の音声ゲートウェイシステム。
【請求項１２】
前記受信パケット選択手段として、受信したパケットのサイズと送信元アドレスにより選択制御するために、受信パケットサイズ監視手段および受信パケット送信元監視手段と、を含むことを特徴とする請求項９または１０に記載の音声ゲートウェイシステム。
【請求項１３】
前記受信パケット選択手段として、受信したパケットのポート番号により選択制御するための受信パケットポート番号監視手段を含むことを特徴とする請求項９または１０に記載の音声ゲートウェイシステム。
【請求項１４】
前記受信パケット選択手段として、受信したパケットをレイヤードパケットとして分解したときの分解状況により選択制御するためのパケット分解状況監視手段を含むことを特徴とする請求項９または１０に記載の音声ゲートウェイシステム。
【請求項１５】
受信側装置として、
パケットを回線から入力するパケット受信手段と、
このパケット受信手段からのパケットを一次的に保持するバッファと、
このパケット受信手段からのレイヤードパケットをショートパケットに分解するレイヤードパケット分解手段と、
このレイヤードパケット分解手段でのパケットの分解が正常か否かを監視するパケット分解状況監視手段と、
入力した標準パケットを分解する標準パケット分解手段と、
入力したショートパケットを分解するショートパケット分解手段と、
前記パケット分解状況監視手段に基づき前記レイヤードパケット分解手段での分解が正常であれば前記ショートパケット分解手段を選択しそうでなければ前記標準パケット分解手段を選択する受信パケット選択手段と、
この受信パケット選択手段の制御に従って前記レイヤードパケット分解手段からのショートパケットを前記ショートパケット分解手段に、または前記バッファかのパケットを前記標準パケット分解手段に接続するセレクタと、
を備えたことを特徴とするゲートウェイシステム。
【発明の詳細な説明】
【０００１】
【発明の属する技術分野】
この発明は、ＩＰパケットを用いて音声信号などの信号を伝送するゲートウェイシステムおよび音声ゲートウェイシステムに関するものである。
【０００２】
【従来の技術】
図１１は従来のこの種の一般的な音声ゲートウェイシステムの送信側装置の構成を示す図である。図に示すように従来の例えば音声ゲートウェイシステムの送信側装置は、音声信号の符号化を行う音声符号化部１１、標準パケットを組み立てる標準パケット組立部１２、およびパケットをネットワーク等の回線に送出するパケット送出部１６で構成される。
【０００３】
次に動作について説明する。入力された音声信号は音声符号化部１１にて音声符号化処理される。音声符号化部１１から音声符号化信号が標準パケット組立部１２に入力され、例えば図１０に示すようなフォーマットの標準パケットに組み立てられる。この組み立てられたパケットはパケット送出部１６を介して回線に出力される。
【０００４】
ところで音声符号化部１１における音声符号化処理では、例えばＩＴＵ−Ｔ勧告Ｇ．７２９に示された８ｋｂｉｔ／ｓＣＳ−ＡＣＥＬＰ方式の場合、１０ｍ秒毎に１０バイトのデータが生成される。この１０バイトのデータが図１０に示した標準パケットに組み立てられると、合計４０バイトのヘッダに対して１０バイトの音声符号化信号となり、ヘッダのオーバーヘッドが大きくなってしまうという問題があった。この問題を改善したのが、次に示す従来の技術である。
【０００５】
図１２は例えば特開平１１−１２２３０７号公報に示された従来の音声ゲートウェイシステムの構成を示す図である。図に示すシステムの送信側装置は、符号化手段１１２、バッファ１１３、ショートパケット構成手段１１４、ショートパケットヘッダ生成手段１１５、ペイロード長指示手段１１６およびショートパケットバッファ１１７からなる複数のチャネル(ユニット)と、これらに共通に設けられた呼制御部１１１、パケット組立手段１１８、パケット送信スケジュール手段１１９およびパケット送受信部１１０とで構成されている。また受信側装置は、復号化手段１２２、バッファ１２３、ショートパケット分解手段１２４およびショートパケットバッファ１２７からなる複数のチャネルと、これらに共通に設けられた呼制御部１２１、パケット分解手段１２８およびパケット送受信部１２０とで構成される。
【０００６】
次に動作について説明する。まず送信側装置では、符号化手段１１２によって符号化された符号化情報信号は、バッファ１１３に転送され一時的に蓄積される。ショートパケット構成手段１１４は、ショートパケットヘッダ生成手段１１５から当該呼の情報信号用のショートパケットヘッダを取得し、同時にペイロード長指示手段１１６から当該情報信号用のショートパケットのペイロード長を取得し、更にバッファ１１３からペイロード長に相当する符号化情報信号をセグメントとして取り出す。そして呼毎にショートパケットヘッダとショートパケットペイロードとからショートパケットを構成する。ショートパケット構成手段１１４は、構成したショートパケットをショートパケットバッファ１１７へ転送する。
【０００７】
パケット組立手段１１８は呼制御部１１１からの信号に基づくパケット送信スケジュール手段１１９からの指示に従い、ショートパケットバッファ１１７からショートパケットを取り出して、図９に示すようなレイヤード構成のＩＰパケット(レイヤードパケット)を組み立てる。パケット組立手段１１８はＩＰパケットの組立を完了するとすぐにパケット送受信部１１０に該ＩＰパケットを転送し、該パケットを受信したパケット送受信部１１０は、該ＩＰパケットをインターネットへ送信する。
【０００８】
一方、受信側装置ではパケット送受信部１２０で受信されたＩＰパケットは、パケット分解手段１２８へ転送される。パケット分解手段１２８は受信したＩＰパケットをショートパケットにそれぞれ分解し、ショートパケットヘッダに示される通話回線番号を読み出し、対応するショートパケットバッファ１２７へ該ショートパケットを転送する。ショートパケットバッファ１２７からショートパケットを取得したショートパケット分解手段１２４は、該ショートパケットを分解し、符号化情報信号をバッファ１２３へ転送する。復号化手段１２２は、バッファ１２３から取得した符号化情報信号を順次、復号して該音声信号を当該呼の着信端末へ送信する。
【０００９】
【発明が解決しようとする課題】
以上のように構成された従来の音声ゲートウェイシステムでは、標準ＩＰパケットのみを使用すると、パケットのオーバーヘッドが大きく回線の有効利用が図れないという問題点があった。また、レイヤードパケット方式のみを使用すると、１チャネルだけの伝送ではパケットオーバーヘッド削減の効果が出ず、かえってオーバーヘッドが大きくなり、かつ対向する装置がレイヤードパケット方式をサポートしていなければ適用できないという問題点があった。
【００１０】
この発明は上記のような問題点を解決するためになされたもので、標準ＩＰパケットしかサポートしていない標準的な音声ゲートウェイ装置とも対向接続ができ、かつ１チャネルだけの伝送時にも効率的な伝送が得られる、柔軟かつ効率的なゲートウェイシステムおよび音声ゲートウェイシステムを提供することを目的とする。
【００１１】
【課題を解決するための手段】
上記の目的に鑑み、この発明は、音声信号を送信する送信側装置として、入力した音声信号を標準パケットに組み立てる標準パケット組立手段と、入力した音声信号をショートパケットに組み立てるショートパケット組立手段と、このショートパケット組立手段で組み立てられた複数のショートパケットを標準のパケットに組み立てるレイヤードパケット組立手段と、所定の条件に従って前記標準パケット組立手段およびショートパケット組立手段のいずれかを選択するパケット選択手段と、このパケット選択手段からの制御に従って入力した音声信号を前記標準パケット組立手段およびショートパケット組立手段のいずれかに選択出力するセレクタと、前記標準パケット組立手段およびレイヤードパケット組立手段のパケットを回線に出力するパケット送出手段と、を備えたことを特徴とする音声ゲートウェイシステムにある。
【００１２】
また、入力した音声信号に対して音声符号化処理を行う音声符号化処理手段をさらに備えたことを特徴とする。
【００１３】
また、前記パケット選択手段として、同一対向機への伝送チャネル数を監視する接続チャネル数監視手段を含むことを特徴とする。
【００１４】
また、前記パケット選択手段として、同一対向機への伝送チャネル数を監視する接続チャネル数監視手段と、対向装置でのレイヤードパケット方式サポート状況を管理する対向装置情報管理手段と、を含むことを特徴とする。
【００１５】
また、前記対向装置情報管理手段として、予め装置に設定しておく装置設定情報を用いることを特徴とする。
【００１６】
また、前記対向装置情報管理手段として、対向装置からの受信パケット内情報を用いることを特徴とする。
【００１７】
また、前記パケット選択手段として、装置内輻輳状況を監視する装置内輻輳状況監視手段を含むことを特徴とする。
【００１８】
また、前記パケット選択手段として、ネットワーク回線品質を監視するネットワーク品質状態監視手段を含むことを特徴とする。
【００１９】
また、音声信号を受信する受信側装置として、入力した標準パケットを分解する標準パケット分解手段と、入力したレイヤードパケットをショートパケットに分解するレイヤードパケット分解手段と、このレイヤードパケット分解手段で分解されたショートパケットを分解するショートパケット分解手段と、所定の条件に従って前記標準パケット分解手段およびレイヤードパケット分解手段のいずれかを選択する受信パケット選択手段と、この受信パケット選択手段の制御に従って入力した音声信号を前記標準パケット分解手段およびレイヤードパケット分解手段のいずれかに選択出力するセレクタと、パケットを回線から入力して前記セレクタに送るパケット受信手段と、を備えたことを特徴とする音声ゲートウェイシステムにある。
【００２０】
また、受信した音声符号化信号に対して復号処理を行う音声復号手段をさらに備えたことを特徴とする。
【００２１】
また、前記受信パケット選択手段として、受信したパケットのサイズにより選択制御するための受信パケットサイズ監視手段を含むことを特徴とする。
【００２２】
また、前記受信パケット選択手段として、受信したパケットのサイズと送信元アドレスにより選択制御するために、受信パケットサイズ監視手段および受信パケット送信元監視手段と、を含むことを特徴とする。
【００２３】
また、前記受信パケット選択手段として、受信したパケットのポート番号により選択制御するための受信パケットポート番号監視手段を含むことを特徴とする。
【００２４】
また、前記受信パケット選択手段として、受信したパケットをレイヤードパケットとして分解したときの分解状況により選択制御するためのパケット分解状況監視手段を含むことを特徴とする。
【００２５】
また、受信側装置として、パケットを回線から入力するパケット受信手段と、このパケット受信手段からのパケットを一次的に保持するバッファと、このパケット受信手段からのレイヤードパケットをショートパケットに分解するレイヤードパケット分解手段と、このレイヤードパケット分解手段でのパケットの分解が正常か否かを監視するパケット分解状況監視手段と、入力した標準パケットを分解する標準パケット分解手段と、入力したショートパケットを分解するショートパケット分解手段と、前記パケット分解状況監視手段に基づき前記レイヤードパケット分解手段での分解が正常であれば前記ショートパケット分解手段を選択しそうでなければ前記標準パケット分解手段を選択する受信パケット選択手段と、この受信パケット選択手段の制御に従って前記レイヤードパケット分解手段からのショートパケットを前記ショートパケット分解手段に、または前記バッファかのパケットを前記標準パケット分解手段に接続するセレクタと、を備えたことを特徴とするゲートウェイシステムにある。
【００２８】
【発明の実施の形態】
以下この発明を各実施の形態に従って説明する。
実施の形態１．
図１はこの発明の実施の形態１による音声ゲートウェイシステムの送信側装置の構成を示す図である。図１において、１１は音声信号の音声符号化処理を行う音声符号化部、１２は音声符号化部１１にて処理されセレクタ３０を介して入力した符号化音声信号を標準のＩＰパケットに組み立てる標準パケット組立部、１３は音声符号化部１１にて処理されセレクタ３０を介して入力した符号化音声信号をショートパケットに組み立てるショートパケット組立部で、これらにより１つのチャネル(ユニット)が構成され、このチャネルが複数設けられている。
【００２９】
１４は各チャネル毎に組み立てられたショートパケットを標準のＩＰパケットに組み立てるレイヤードパケット組立部、１６は標準パケット組立部１２およびレイヤードパケット組立部１４からのＩＰパケットをネットワーク等の回線に出力するパケット送出部、１５はセレクタ３０を制御し標準パケットを組み立てるかショートパケットを組み立てるかを選択制御するパケット選択制御部、１７は同一方路に対して接続しているチャネル数を監視する接続チャネル数監視部、３０はパケット選択制御部１５の指示により音声符号化部１１からの入力を標準パケット組立部１２に出力するかショートパケット組立部１３に出力するかを選択出力するセレクタである。
【００３０】
次に動作について説明する。入力された音声信号は音声符号化部１１にて音声符号化処理が施され符号化音声信号としてセレクタ３０に出力される。接続チャネル数監視部１７は同一方路に対してどのチャネルが何チャネル接続しているかを監視し(各チャネルの１１、１２，１３等からの信号に基づき監視)、その情報をパケット選択制御部１５に送る。パケット選択制御部１５は接続チャネル数監視部１７からの情報に基づき、同一方路に２つ以上の複数のチャネルが接続している場合は、該当チャネルのセレクタ３０に音声符号化部１１からの入力をショートパケット組立部１３に出力するよう制御し、かつレイヤードパケット組立部１４を同一方路毎に該当チャネルのショートパケットを標準パケットに組み立てるよう制御する。
【００３１】
ショートパケット組立部１３では図９に示したような１つのチャネルの符号化音声信号にショートパケットヘッダを加えた標準パケットよりもサイズが小さいショートパケットを組み立てる。同一方路に１つのチャネルしか接続されていない場合は、セレクタ３０に音声符号化部１１からの入力信号を標準パケット組立部１２に出力するよう制御する。レイヤードパケット組立部１４では、複数のショートパケットが１つのＩＰパケットに図９に示したようにレイヤードパケットとして多重に組み立てられる。標準パケット組立部１２では図１０に示したように１つのチャネルの符号化音声信号が１つの標準パケットに組み立てられる。標準パケット組立部１２およびレイヤードパケット組立部１４から出力されたＩＰパケットはパケット送出部１６を介して回線に出力される。
【００３２】
以上のように、同一方路への接続チャネル数を監視し、複数チャネルが同一方路に接続されている場合はレイヤードパケットを、単数のチャネルが同一方路に接続されている場合は標準パケットを選択することで、いかなる場合にでも効率的な伝送が実現できる。
【００３３】
また、音声符号化部が存在しない音声ゲートウェイシステム、さらに一般のデータ信号を伝送するゲートウェイシステムでも適用可能であり、同様な効果を得ることができる。これは以下の実施の形態についても同様である。
【００３４】
さらに、標準パケットとレイヤードパケットとで、パケットヘッダに用いるポート番号について異なる番号を使用しても良い。
【００３５】
実施の形態２．
図２はこの発明の実施の形態２による音声ゲートウェイシステムの送信側装置の構成を示す図である。図２において、図１に示す上記実施の形態１と同一もしくは相当部分は同一符号で示し、説明を省略する。１８は伝送の相手側である対向の装置がレイヤードパケット方式をサポートしているかの情報を管理する対向装置情報管理部である。
【００３６】
次に動作について説明する。入力された音声信号は音声符号化部１１にて音声符号化処理が施され符号化音声信号としてセレクタ３０に出力される。接続チャネル数監視部１７は同一方路に対してどのチャネルが何チャネル接続しているかを監視し、その情報をパケット選択制御部１５に送る。また、対向装置情報管理部１８は各対向装置がレイヤードパケット方式をサポートしているか否かの情報をパケット選択制御部１５に送る。パケット選択制御部１５は接続チャネル数監視部１７からの情報および対向装置情報管理部１８からの情報に基づき、同一方路に２つ以上の複数のチャネルが接続しておりかつこの方路の対向装置がレイヤードパケット方式をサポートしている場合は、該当チャネルのセレクタ３０に音声符号化部１１からの入力をショートパケット組立部１３に出力するよう制御し、かつレイヤードパケット組立部１４に該当同一方路に該当チャネルのショートパケットを標準パケットに組み立てるよう制御する。
【００３７】
ショートパケット組立部１３では図９に示したような１つのチャネルの符号化音声信号にショートパケットヘッダを加えた標準パケットよりもサイズが小さいショートパケットを組み立てる。また、前記以外の条件、すなわち同一方路に１つのチャネルしか接続されていない場合或いは該当方路の対向装置がレイヤードパケット方式をサポートしていない場合は、セレクタ３０に音声符号化部１１からの入力信号を標準パケット組立部１２に出力するよう制御する。レイヤードパケット組立部１４では、複数のショートパケットが１つのＩＰパケットに図９に示したようにレイヤードパケットとして多重に組み立てられる。標準パケット組立部１２では図１０に示したように１つのチャネルの符号化音声信号が１つの標準パケットに組み立てられる。標準パケット組立部１２およびレイヤードパケット組立部１４から出力されたＩＰパケットはパケット送出部１６を介して回線に出力される。
【００３８】
以上のように、同一方路への接続チャネル数を監視しかつ対向装置のレイヤードパケット方式のサポート状況を管理することで、標準パケットしかサポートしない音声ゲートウェイ装置とも対向接続ができ、かつ同一方路への１チャネルだけの伝送時にも効率的な伝送が得られる、柔軟かつ効率的な音声ゲートウェイシステムが実現できる。
【００３９】
また、対向装置情報管理手段として、予め装置に設定される装置設定情報を用いるものとしてもよい。
【００４０】
また、対向装置情報管理手段として、装置間でのパケット授受により得られる情報を用いるものとしてもよい。
【００４１】
実施の形態３．
図３はこの発明の実施の形態３による音声ゲートウェイシステムの送信側装置の構成を示す図である。図３において、上記各実施の形態と同一もしくは相当部分は同一符号で示し、説明を省略する。１９は装置内の輻輳状態を監視する装置内輻輳状態監視部である。
【００４２】
次に動作について説明する。入力された音声信号は音声符号化部１１にて音声符号化処理が施され符号化音声信号としてセレクタ３０に出力される。接続チャネル数監視部１７は同一方路に対してどのチャネルが何チャネル接続しているかを監視し、その情報をパケット選択制御部１５に送る。また、対向装置情報管理部１８は各対向装置がレイヤードパケット方式をサポートしているか否かの情報をパケット選択制御部１５に送る。装置内輻輳状態監視部１９は装置内の信号を監視して装置内の状態が輻輳状態にあるか否かの情報をパケット選択制御部１５に送る。パケット選択制御部１５は接続チャネル数監視部１７からの情報および対向装置情報管理部１８からの情報並びに装置内輻輳状態監視部１９からの情報に基づき、セレクタ３０を選択制御する。同一方路にＮ個以上のチャネルが接続しておりかつこの方路の対向装置がレイヤードパケット方式をサポートしている場合は、該当チャネルのセレクタ３０に音声符号化部１１からの入力をショートパケット組立部１３に出力するよう制御し、かつレイヤードパケット組立部１４に該当同一方路に該当チャネルのショートパケットを標準パケットに組み立てるよう制御する。
【００４３】
ショートパケット組立部１３では図９に示したような１つのチャネルの符号化音声信号にショートパケットヘッダを加えた標準パケットよりもサイズが小さいショートパケットを組み立てる。また、前記以外の条件、すなわち同一方路にＮ個未満のチャネルしか接続されていない場合或いは該当方路の対向装置がレイヤードパケット方式をサポートしていない場合は、セレクタ３０に音声符号化部１１からの入力信号を標準パケット組立部１２に出力するよう制御する。前記Ｎは装置内輻輳状態監視部１９からの情報に基づきこれに適応するように決定する。レイヤードパケット組立部１４では、複数のショートパケットが１つのＩＰパケットに図９に示したようにレイヤードパケットとして多重に組み立てられる。標準パケット組立部１２では図１０に示したように１つのチャネルの符号化音声信号が１つの標準パケットに組み立てられる。標準パケット組立部１２およびレイヤードパケット組立部１４から出力されたＩＰパケットはパケット送出部１６を介して回線に出力される。
【００４４】
以上のように、同一方路への接続チャネル数を監視しかつ対向装置がレイヤードパケット方式のサポート状況を管理しかつ装置内輻輳状態を監視することで、標準パケットしかサポートしない音声ゲートウェイ装置とも対向接続ができ、かつ、装置の輻輳状態に応じて効率的な伝送が得られる、柔軟かつ効率的な音声ゲートウェイシステムが実現できる。
【００４５】
実施の形態４．
図４はこの発明の実施の形態４による音声ゲートウェイシステムの送信側装置の構成を示す図である。図４において、上記各実施の形態と同一もしくは相当部分は同一符号で示し、説明を省略する。２０はパケット損失やビットエラーなどのネットワーク回線の伝送品質を監視するネットワーク品質状態監視部である。
【００４６】
次に動作について説明する。入力された音声信号は音声符号化部１１にて音声符号化処理が施され符号化音声信号としてセレクタ３０に出力される。接続チャネル数監視部１７は同一方路に対してどのチャネルが何チャネル接続しているかを監視し、その情報をパケット選択制御部１５に送る。また、対向装置情報管理部１８は各対向装置がレイヤードパケット方式をサポートしているか否かの情報をパケット選択制御部１５に送る。ネットワーク品質状態監視部２０は装置内の信号を監視してネットワークの品質状態を監視しパケット損失やビットエラーなどのネットワーク伝送品質が良いか否かの情報をパケット選択制御部１５に送る。パケット選択制御部１５は接続チャネル数監視部１７からの情報および対向装置情報管理部１８からの情報、並びにネットワーク品質状態監視部２０からの情報に基づき、セレクタ３０を選択制御する。同一方路にＮ個以上のチャネルが接続しておりかつこの方路の対向装置がレイヤードパケット方式をサポートしている場合は、該当チャネルのセレクタ３０に音声符号化部１１からの入力をショートパケット組立部１３に出力するよう制御し、かつレイヤードパケット組立部１４に該当同一方路に該当チャネルのショートパケットを標準パケットに組み立てるよう制御する。
【００４７】
ショートパケット組立部１３では図９に示したような１つのチャネルの符号化音声信号にショートパケットヘッダを加えた標準パケットよりもサイズが小さいショートパケットを組み立てる。また、前記以外の条件、つまり同一方路にＮ個未満のチャネルしか接続されていない場合或いは該当方路の対向装置がレイヤードパケット方式をサポートしていない場合は、セレクタ３０に音声符号化部１１からの入力信号を標準パケット組立部１２に出力するよう制御する。前記Ｎはネットワーク品質状態監視部２０からの情報に基づきこれに適応するように決定する。レイヤードパケット組立部１４では、複数のショートパケットが１つのＩＰパケットに図９に示したようにレイヤードパケットとして多重に組み立てられる。標準パケット組立部１２では図１０に示したように１つのチャネルの符号化音声信号が１つの標準パケットに組み立てられる。標準パケット組立部１２およびレイヤードパケット組立部１４から出力されたＩＰパケットはパケット送出部１６を介して回線に出力される。
【００４８】
以上のように、同一方路への接続チャネル数を監視しかつ対向装置がレイヤードパケット方式のサポート状況を管理しかつネットワークの品質状態を監視することで、標準パケットしかサポートしない音声ゲートウェイ装置とも対向接続ができ、かつ、ネットワークの品質状態に応じて効率的な伝送が得られる、柔軟かつ効率的な音声ゲートウェイシステムが実現できる。
【００４９】
実施の形態５．
図５はこの発明の実施の形態５による音声ゲートウェイシステムの受信側装置の構成を示す図である。図５において、２１は符号化音声信号の音声復号処理を行う音声復号部、２２はセレクタ３１を介して入力した標準パケットを分解する標準パケット分解部、２３はレイヤードパケット分解部２４から入力したショートパケットを分解するショートパケット分解部、２４は入力したレイヤードパケットをショートパケットに分解するレイヤードパケット分解部、２６はネットワーク等の回線からＩＰパケットを入力するパケット受信部、２５はセレクタ３１を制御し標準パケットを分解するかレイヤードパケットを分解するかを選択制御する受信パケット選択制御部、２７は受信パケットのパケットのサイズを監視する受信パケットサイズ監視部、３１は受信パケット選択制御部２５の指示によりパケット受信部２６からの入力パケットを標準パケット分解部２２に出力するかレイヤードパケット分解部２４に出力するかを選択出力するセレクタである。
【００５０】
次に動作について説明する。パケット受信部２６を介して入力されたパケットは受信パケットサイズ監視部２７にてパケットのサイズが監視されると共にセレクタ３１に出力される。受信パケットサイズ監視部２７は入力されたパケットのサイズ(データ量)を監視してその情報を受信パケット選択制御部２５に送る。受信パケット選択制御部２５は受信パケットサイズ監視部２７からの情報に基づき、受信パケットのサイズが有る閾値よりも短い場合には標準パケット分解部２２に、受信パケットのサイズが有る閾値よりも長い場合にはレイヤードパケット分解部２４に、それぞれ入力したパケットを選択出力するようセレクタ３１を選択制御する。
【００５１】
レイヤードパケット分解部２４では、入力したパケットからショートパケットが分解され、それぞれのチャネルのショートパケット分解部２３に出力される。ショートパケット分解部２３では入力したショートパケットが分解され、分解された符号化音声信号が音声復号部２１に出力される。標準パケット分解部２２では標準パケットが分解され、分解された符号化音声信号が音声復号部２１に出力される。標準パケット分解部２２およびショートパケット分解部２３は分解すべきパケットが入力されたときのみ分解処理を行い音声復号部２１に符号化音声信号を出力するが、分解すべきパケットが入力されていないときには音声復号部に何も出力しない。音声復号部２１では標準パケット分解部２２またはショートパケット分解部２３からの符号化音声信号を入力して音声復号処理を行い出力する。ただし標準パケット分解部２２またはショートパケット分解部２３から何も入力されないときには無音信号を再生して出力する。
【００５２】
以上のように、受信パケットのパケットサイズを監視し、その情報に基づいて標準パケット分解部およびレイヤードパケット分解部を適宜切り替えて使用することで、レイヤードパケットをサポートしている音声ゲートウェイ装置および標準パケットしかサポートしていない音声ゲートウェイ装置とも対向接続ができる効率的な音声ゲートウェイシステムが実現できる。
【００５３】
また、音声復号部が存在しない音声ゲートウェイシステム、さらに一般のデータ信号を伝送するゲートウェイシステムでも適用可能であり、同様な効果を得ることができる。これは以下の実施の形態についても同様である。
【００５４】
実施の形態６．
図６はこの発明の実施の形態６による音声ゲートウェイシステムの受信側装置の構成を示す図である。図６において、図５に示す上記実施の形態５と同一もしくは相当部分は同一符号で示し、説明を省略する。２８は受信パケットのヘッダ情報により該当パケットの送信元を判別する受信パケット送信元監視部である。
【００５５】
次に動作について説明する。パケット受信部２６を介して入力されたパケットは受信パケットサイズ監視部２７にてパケットのサイズが監視され、受信パケット送信元監視部２８にて送信元が判別されると共にセレクタ３１に出力される。受信パケットサイズ監視部２７は入力されたパケットのサイズ(データ量)を監視してその情報を受信パケット選択制御部２５に送る。受信パケット送信元監視部２８は入力されたパケットのヘッダ部より該当パケットの送信元を判別し該当送信元がレイヤードパケットをサポートしている装置か否かの情報を受信パケット選択制御部２５に送る。受信パケット選択制御部２５は受信パケットサイズ監視部２７からの情報および受信パケット送信元監視部２８からの情報に基づき、送信元がレイヤードパケットをサポートしておりかつ受信パケットのサイズが有る閾値よりも長い場合にはレイヤードパケット分解部２４に、前記以外の条件の場合には標準パケット分解部２２に、それぞれ入力したパケットを選択出力するようセレクタ３１を選択制御する。
【００５６】
レイヤードパケット分解部２４では入力したパケットからショートパケットが分解され、それぞれのチャネルのショートパケット分解部２３に出力される。ショートパケット分解部２３では入力したショートパケットが分解され、分解された符号化音声信号が音声復号部２１に出力される。標準パケット分解部２２では標準パケットが分解され、分解された符号化音声信号が音声復号部２１に出力される。標準パケット分解部２２およびショートパケット分解部２３は分解すべきパケットが入力されたときのみ分解処理を行い音声復号部２１に符号化音声信号を出力するが、分解すべきパケットが入力されていないときには音声復号部に何も出力しない。音声復号部２１では標準パケット分解部２２またはショートパケット分解部２３からの符号化音声信号を入力して音声復号処理を行い出力する。但し、標準パケット分解部２２またはショートパケット分解部２３から何も入力されないときには無音信号を再生して出力する。
【００５７】
以上のように、受信パケットの送信元および受信パケットのパケットサイズを監視し、その情報に基づいて標準パケット分解部およびレイヤードパケット分解部を適宜切り替えて使用することで、レイヤードパケットをサポートしている音声ゲートウェイ装置および標準パケットしかサポートしていない音声ゲートウェイ装置とも対向接続ができる効率的な音声ゲートウェイ装置が実現できる。
【００５８】
実施の形態７．
図７はこの発明の実施の形態７による音声ゲートウェイシステムの受信側装置の構成を示す図である。図７において、上記各実施の形態と同一もしくは相当部分は同一符号で示し、説明を省略する。２９は受信パケットのヘッダよりポート番号を監視する受信パケットポート番号監視部である。
【００５９】
次に動作について説明する。パケット受信部２６を介して入力されたパケットは受信パケットポート番号監視部２９にてパケットヘッダ内のポート番号が監視されると共にセレクタ３１に出力される。受信パケットポート番号監視部２９は入力されたパケットのヘッダより該当パケットのポート番号により該当パケットがレイヤードパケットであるか標準パケットであるかを判定してその情報を受信パケット選択制御部２５に送る。受信パケット選択制御部２５は受信パケットポート番号監視部２９からの情報に基づき、該当パケットを標準パケット分解部２２或いはレイヤードパケット分解部２４に選択出力するようセレクタ３１を選択制御する。
【００６０】
レイヤードパケット分解部２４では、入力したパケットからショートパケットが分解され、それぞれのチャネルのショートパケット分解部２３に出力される。ショートパケット分解部２３では入力したショートパケットが分解され、分解された符号化音声信号が音声復号部２１に出力される。標準パケット分解部２２では標準パケットが分解され、分解された符号化音声信号が音声復号部２１に出力される。標準パケット分解部２２およびショートパケット分解部２３は、分解すべきパケットが入力されたときのみ分解処理を行い音声復号部２１に符号化音声信号を出力するが、分解すべきパケットが入力されていないときには音声復号部に何も出力しない。音声復号部２１では標準パケット分解部２２またはショートパケット分解部２３からの符号化音声信号を入力して音声復号処理を行い出力する。但し、標準パケット分解部２２またはショートパケット分解部２３から何も入力されないときには無音信号を再生して出力する。
【００６１】
以上のように、受信パケットのポート番号を監視し、その情報に基づいて標準パケット分解部およびレイヤードパケット分解部を適宜切り替えて使用することで、レイヤードパケットをサポートしている音声ゲートウェイ装置および標準パケットしかサポートしていない音声ゲートウェイ装置とも対向接続ができる効率的な音声ゲートウェイシステムが実現できる。
【００６２】
実施の形態８．
図８はこの発明の実施の形態８による音声ゲートウェイシステムの受信側装置の構成を示す図である。図８において、上記各実施の形態と同一もしくは相当部分は同一符号で示し、説明を省略する。標準パケット分解部２２はセレクタ３２を介して入力した標準パケットを分解する。ショートパケット分解部２３はセレクタ３２を介してレイヤードパケット分解部２４から入力したショートパケットを分解する。レイヤードパケット分解部２４は入力したレイヤードパケットをショートパケットに分解し、パケット受信部２６は回線からＩＰパケットを入力する。２５はセレクタ３２を制御して標準パケットを分解するかショートパケットを分解するかを選択制御する受信パケット選択制御部、３００は受信パケットをレイヤードパケットと仮定して分解した結果を監視するパケット分解状況監視部、３２は受信パケット選択制御部２５の指示によりバッファ４０からの入力パケットを標準パケット分解部２２に出力するかあるいはレイヤードパケット分解部２４からのショートパケットをショートパケット分解部２３に出力するかを選択出力するセレクタである。４０は入力したパケットを一時蓄積するバッファである。
【００６３】
次に動作について説明する。パケット受信部２６を介して入力されたパケットは標準パケットであれレイヤードパケットであれ、何れのパケットもレイヤードパケット分解部２４に入力される。レイヤードパケット分解部２４では入力されたパケットをレイヤードパケットとしてショートパケットへの分解処理が行われる。パケット分解状況監視部３００では、レイヤードパケット分解部２４にて正常に分解処理が行われたか否かを監視してその情報を受信パケット選択制御部２５に送る。受信パケット選択制御部２５はパケット分解が正常に行われたと判定された場合には、該当パケットはレイヤードパケットであると判断してレイヤードパケット分解部２４から出力されるショートパケットがショートパケット分解部２３に入力されるようにセレクタ３２を選択制御する。また、受信パケット選択制御部２５はパケット分解が正常に行われなかったと判定された場合には、該当パケットは標準パケットであると判断してバッファ４０からの出力が標準パケット分解部２２に入力されるようセレクタ３２を選択制御する。バッファ４０はレイヤードパケット分解部２４にて分解処理に要する時間分パケットを一時蓄積する。
【００６４】
ショートパケット分解部２３では入力したショートパケットが分解され、分解された符号化音声信号が音声復号部２１に出力される。標準パケット分解部２２では標準パケットが分解され、分解された符号化音声信号が音声復号部２１に出力される。標準パケット分解部２２およびショートパケット分解部２３は分解すべきパケットが入力されたときのみ分解処理を行い音声復号部２１に符号化音声信号を出力するが、分解すべきパケットが入力されていないときには音声復号部に何も出力しない。音声復号部２１では標準パケット分解部２２またはショートパケット分解部２３からの符号化音声信号を入力して音声復号処理を行い出力する。但し、標準パケット分解部２２またはショートパケット分解部２３から何も入力されないときには無音信号を再生して出力する。
【００６５】
以上のように、受信パケットをレイヤードパケットと仮定してショートパケットへの分解処理を行い、その分解処理が正常に行えたか否かを監視して、その情報に基づいて標準パケット分解部およびショートパケット分解部を適宜切り替えて使用することで、レイヤードパケットをサポートしている音声ゲートウェイ装置および標準パケットしかサポートしていない音声ゲートウェイ装置とも対向接続ができる効率的な音声ゲートウェイシステムが実現できる。
【００６６】
なおこの発明は上記個々の実施の形態に限定されるものではなく、これらの実施の形態の可能な組み合わせも含み、さらには送信側装置と受信側装置との可能な組み合わせも含むものである。
【００６７】
【発明の効果】
以上のようにこの発明によれば、標準ＩＰパケットしかサポートしていない標準的な音声ゲートウェイ装置とも対向接続ができ、かつ１チャネルだけの伝送時にも効率的な伝送が得られる、柔軟かつ効率的なゲートウェイシステムを提供する。例えば同一方路への接続チャネル数を監視し、複数チャネルが同一方路に接続されている場合はレイヤードパケットを、単数のチャネルが同一方路に接続されている場合は標準パケットを選択することで、いかなる場合にでも効率的な伝送が実現できる。
【００６８】
また、同一方路への接続チャネル数を監視しかつ対向装置のレイヤードパケット方式のサポート状況を管理することで、標準パケットしかサポートしない音声ゲートウェイ装置とも対向接続ができ、かつ同一方路への１チャネルだけの伝送時にも効率的な伝送が得られる、柔軟かつ効率的な音声ゲートウェイシステムが実現できる。また、対向装置情報管理手段として、予め装置に設定される装置設定情報、あるいは装置間でのパケット授受により得られる情報を用いることもできる。
【００６９】
また、同一方路への接続チャネル数を監視しかつ対向装置がレイヤードパケット方式のサポート状況を管理しかつ装置内輻輳状態を監視することで、標準パケットしかサポートしない音声ゲートウェイ装置とも対向接続ができ、かつ、装置の輻輳状態に応じて効率的な伝送が得られる、柔軟かつ効率的な音声ゲートウェイシステムが実現できる。
【００７０】
また、同一方路への接続チャネル数を監視しかつ対向装置がレイヤードパケット方式のサポート状況を管理しかつネットワークの品質状態を監視することで、標準パケットしかサポートしない音声ゲートウェイ装置とも対向接続ができ、かつ、ネットワークの品質状態に応じて効率的な伝送が得られる、柔軟かつ効率的な音声ゲートウェイシステムが実現できる。
【００７１】
また、受信パケットのパケットサイズを監視し、その情報に基づいて標準パケット分解部およびレイヤードパケット分解部を適宜切り替えて使用することで、レイヤードパケットをサポートしている音声ゲートウェイ装置および標準パケットしかサポートしていない音声ゲートウェイ装置とも対向接続ができる効率的な音声ゲートウェイシステムが実現できる。
【００７２】
また、受信パケットの送信元および受信パケットのパケットサイズを監視し、その情報に基づいて標準パケット分解部およびレイヤードパケット分解部を適宜切り替えて使用することで、レイヤードパケットをサポートしている音声ゲートウェイ装置および標準パケットしかサポートしていない音声ゲートウェイ装置とも対向接続ができる効率的な音声ゲートウェイ装置が実現できる。
【００７３】
また、受信パケットのポート番号を監視し、その情報に基づいて標準パケット分解部およびレイヤードパケット分解部を適宜切り替えて使用することで、レイヤードパケットをサポートしている音声ゲートウェイ装置および標準パケットしかサポートしていない音声ゲートウェイ装置とも対向接続ができる効率的な音声ゲートウェイシステムが実現できる。
【００７４】
また、受信パケットをレイヤードパケットと仮定してショートパケットへの分解処理を行い、その分解処理が正常に行えたか否かを監視して、その情報に基づいて標準パケット分解部およびショートパケット分解部を適宜切り替えて使用することで、レイヤードパケットをサポートしている音声ゲートウェイ装置および標準パケットしかサポートしていない音声ゲートウェイ装置とも対向接続ができる効率的な音声ゲートウェイシステムが実現できる。
【図面の簡単な説明】
【図１】  この発明の実施の形態１によるゲートウェイシステムの送信側装置の構成を示す図である。
【図２】  この発明の実施の形態２によるゲートウェイシステムの送信側装置の構成を示す図である。
【図３】  この発明の実施の形態３によるゲートウェイシステムの送信側装置の構成を示す図である。
【図４】  この発明の実施の形態４によるゲートウェイシステムの送信側装置の構成を示す図である。
【図５】  この発明の実施の形態５によるゲートウェイシステムの受信側装置の構成を示す図である。
【図６】  この発明の実施の形態６によるゲートウェイシステムの受信側装置の構成を示す図である。
【図７】  この発明の実施の形態７によるゲートウェイシステムの受信側装置の構成を示す図である。
【図８】  この発明の実施の形態８によるゲートウェイシステムの受信側装置の構成を示す図である。
【図９】  レイヤードパケットフォーマットの一例を示す図である。
【図１０】  標準パケットフォーマットの一例を示す図である。
【図１１】  従来のゲートウェイシステムの送信側装置の構成を示す図である。
【図１２】  従来の別のゲートウェイシステムの構成を示す図である。
【符号の説明】
１１  音声符号化部、１２  標準パケット組立部、１３  ショートパケット組立部、１４  レイヤードパケット組立部、１５  パケット選択制御部、１６  パケット送出部、１７  接続チャネル数監視部、１８  対向装置情報管理部、１９装置内輻輳状態監視部、２０  ネットワーク品質状態監視部、２１  音声復号部、２２  標準パケット分解部、２３  ショートパケット分解部、２４  レイヤードパケット分解部、２６  パケット受信部、２５  受信パケット選択制御部、２７  受信パケットサイズ監視部、２８  受信パケット送信元監視部、２９  受信パケットポート番号監視部、３０，３１，３２  セレクタ、４０  バッファ、３００  パケット分解状況監視部。
【図１】
0003681989.tif 000002
【図２】
0003681989.tif 000003
【図３】
0003681989.tif 000004
【図４】
0003681989.tif 000005
【図５】
0003681989.tif 000006
【図６】
0003681989.tif 000007
【図７】
0003681989.tif 000008
【図８】
0003681989.tif 000009
【図９】
0003681989.tif 000010
【図１０】
0003681989.tif 000011
【図１１】
0003681989.tif 000012
【図１２】
0003681989.tif 000013